(57)【要約】【課題】  構造が単純で部品数を少なくしてコスト低減を図り、また回転体を容器外面側に設け、手指等の汚れを防止した化粧料容器を提供すること。【解決手段】  容器本体とキャップ、中皿と化粧皿、および回転体とからなる化粧料容器であって、容器本体は、内周壁と下方に回転体の支持筒を形成した外周壁を具備しており、中皿は、中央部に化粧料吐出口を穿孔し、パフを収納可能とした凹部を有する受け皿と、その外周の取付部とを具備し、化粧皿は、中皿の凹部に合わせた形状を有する皿体と、皿体の外周縁より垂設されたスカート部と皿体の下方に垂設されたねじ筒を具備しており、回転体は、支持筒に廻動自在に取着された外筒と、ねじ筒に螺合する内筒とを具備し、容器本体の内周壁と皿体のスカート部を非円形とし、互いに廻動不能としたことを特徴とする。【選択図】  図１
2005103108.tif 000002
【特許請求の範囲】
【請求項１】
容器本体とキャップ、中皿と化粧皿、および回転体とからなる化粧料容器であって、
容器本体は、内周壁と下方に回転体の支持筒を形成した外周壁を具備しており、
中皿は、中央部に化粧料吐出口を穿孔し、パフを収納可能とした凹部を有する受け皿と、その外周の取付部とを具備し、
化粧皿は、中皿の凹部に合わせた形状を有する皿体と、皿体の外周縁より垂設されたスカート部と皿体の下方に垂設されたねじ筒を具備しており、
回転体は、支持筒に廻動自在に取着された外筒と、ねじ筒に螺合する内筒とを具備し、
容器本体の内周壁と皿体のスカート部を非円形とし、互いに廻動不能としたことを特徴とする化粧料容器。
【請求項２】
容器本体は、円形の内周壁と、該内周壁の下端に取着され、内周にねじを螺設した内筒を具えた案内体と、下方に回転体の支持筒を形成した外周壁を具備しており、
中皿は、中央部に化粧料吐出口を穿孔し、パフを収納可能とした凹部を有する受け皿と、その外周の取付部とを具備し、
化粧皿は、中皿の凹部に合わせた形状を有する円形の皿体と、皿体の外周縁より垂設されたスカート部と、皿体の下方に垂設され、縦方向のスリットを設けたねじ筒を具備しており、
回転体は、支持筒に廻動自在に取着された外筒と、ねじ筒のスリットに嵌挿される係止杆を立設した底板とを具備していることを特徴とする化粧料容器。
【請求項３】
請求項２記載の化粧料容器において、
化粧皿とねじ筒を別体とし、ねじ筒内周面に、回転体の係止杆が係合する縦溝を刻設したことを特徴とする化粧料容器。
【請求項４】
請求項２記載の化粧料容器において、容器本体の内周壁に縦溝を刻設し、化粧皿のスカート部の下端に、上記縦溝に係合する突起を突設したことを特徴とする化粧料容器。
【発明の詳細な説明】
【技術分野】
【０００１】
本発明は、パウダー等の粉末化粧料を収容する化粧料容器に関するものである。
【背景技術】
【０００２】
容器本体に、ばねを介して上昇可能とした化粧料皿と、該化粧皿の化粧料上面に接合する回転可能とした切削皿を装着し、切削皿を廻動させることによって化粧料を削りだし、粉体として切削皿上に溜め、使用に応じて化粧料皿を上昇させるようにした化粧料容器は、従来より知られている（特許文献１参照）。
【特許文献１】特開平１１−２２５８２１号公報
【発明の開示】
【発明が解決しようとする課題】
【０００３】
しかしながら、上記従来の化粧料容器は、化粧皿、切削皿、その支持機構等を容器本体内に装着しており、部品数も多く、構造が複雑であるという問題があった。
また、切削皿の把持部に粉末化粧料が付着することもあるので、手指が汚れることもあった。
【０００４】
本発明は、上記問題を解決することを課題として、構造が単純で部品数を少なくしてコスト低減を図り、また回転体を容器外面側に設けて操作を容易にし、手指等の汚れを防止した化粧料容器を提供することを目的とする。
【課題を解決するための手段】
【０００５】
本発明は、上記の課題を解決するため、化粧料容器として、容器本体とキャップ、中皿と化粧皿、および回転体とからなる化粧料容器であって、容器本体は、内周壁と下方に回転体の支持筒を形成した外周壁を具備しており、中皿は、中央部に化粧料吐出口を穿孔し、パフを収納可能とした凹部を有する受け皿と、その外周の取付部とを具備し、化粧皿は、中皿の凹部に合わせた形状を有する皿体と、皿体の外周縁より垂設されたスカート部と皿体の下方に垂設されたねじ筒を具備しており、回転体は、支持筒に廻動自在に取着された外筒と、ねじ筒に螺合する内筒とを具備し、容器本体の内周壁と皿体のスカート部を非円形とし、互いに廻動不能としたことを特徴とする構成を採用する。
【０００６】
また、別実施例として、容器本体は、円形の内周壁と、該内周壁の下端に取着され、内周にねじを螺設した内筒を具えた案内体と、下方に回転体の支持筒を形成した外周壁を具備しており、中皿は、中央部に化粧料吐出口を穿孔し、パフを収納可能とした凹部を有する受け皿と、その外周の取付部とを具備し、化粧皿は、中皿の凹部に合わせた形状を有する円形の皿体と、皿体の外周縁より垂設されたスカート部と、皿体の下方に垂設され、縦方向のスリットを設けたねじ筒を具備しており、回転体は、支持筒に廻動自在に取着された外筒と、ねじ筒のスリットに嵌挿される係止杆を立設した底板とを具備していることを特徴とする構成を採用する。
【０００７】
また、別実施例として、上記の化粧料容器において、化粧皿とねじ筒を別体とし、ねじ筒内周面に、回転体の係止杆が係合する縦溝を刻設したことを特徴とする構成、あるいは容器本体の内周壁に縦溝を刻設し、化粧皿のスカート部の下端に、上記縦溝に係合する突起を突設したことを特徴とする構成を採用する。
【発明の効果】
【０００８】
本発明の化粧料容器は、回転体を廻動させることで化粧皿が上昇し、一定量の粉体が化粧料吐出口から吐出され、パフに適量付着させることができる。
また、シンプルな構造となっておりコスト低減が図れるとともに、回転体が容器外面に装着されているので、操作が簡単でしかも手指等の汚れも防止できる。
【発明を実施するための最良の形態】
【０００９】
化粧料容器の化粧皿の移動を、容器外面に装着した回転体を廻動させる等の簡単な操作により、一定量の粉末化粧料の吐出を実現したもので、以下、実施例を示して説明する。
【実施例１】
【００１０】
図１〜３に示すように、本発明の化粧料容器は、容器本体１とキャップ２、中皿３と化粧皿４、および回転体５とから構成されている。
【００１１】
容器本体１は、内周壁６と外周壁７から構成され、円筒状の外周壁７上方は縮径され、キャップ２が係合する係合部８が形成されており、外周壁７下方は縮径されて回転体５の支持筒９となっており、支持筒９の外周には、凹溝１０が穿設されている。
【００１２】
中皿３は、中央部に化粧料の吐出口１１を穿設し、パフ１２を収納可能とした凹部１３を有する受け皿１４と、該受け皿１４外周に連接され、容器本体１の上端に取着される取付部１５とから構成されている。
【００１３】
化粧皿４は、中皿３の凹部１３に合わせた形状を有する皿体１６と、該皿体１６の外周端より垂設され、容器本体１の内周壁６に摺動可能として係合するスカート部１７と、皿体１６の下方に垂設され、外周にねじ１８を螺設したねじ筒１９とから構成されている。
【００１４】
回転体５は、図３に示すように、容器本体１の支持筒９に係合する外筒２０と底板２１，化粧皿４のねじ筒１９に係合する内筒２２とから構成され、外筒２０の内周には、支持筒９の凹溝１０に係合する凸条２３が突設されており、内筒２２の内周には、ねじ筒１９のねじ１８に螺合するねじ２４が螺設されている。
【００１５】
容器本体１の内周壁６、化粧皿４のスカート部１７の横断面形状は、図４に示すように、楕円形等の非円形とし、互いに廻動不能とされている。
【００１６】
また、容器本体１の外周壁７と回転体５の外面に目盛等を付与することによって、回転量を目視することができる。
【００１７】
次に、化粧料容器の使用態様と作用効果について説明する。
化粧料容器の中皿３に一定量の粉末化粧料が収納される。
化粧料の塗布にあたっては、キャップ２を開いてパフ１２を中皿３に押し付けると、吐出口１１周辺の粉末化粧料をパフ１２に付着させることができる。
【００１８】
中皿３上の化粧料がなくなると、回転体５を廻動させ、化粧料を吐出口１１より吐出する。
その際には、容器本体１の外周壁７を保持し、回転体５を廻動させれば、回転体５の回転が内筒２２からねじ１８，ねじ２４を通じて化粧皿４のねじ筒１９と伝達され、スカート部１７と内周壁６が楕円形等の非円形で廻動不能に構成されているので、化粧皿４が上昇する。
【００１９】
回転体５の廻動を一定量とすると、常に一定量の化粧料を吐出させることができ、廻動量を調節することによって吐出量を調節することもできる。
【実施例２】
【００２０】
次に、容器本体の内周壁、および化粧皿を円形とした化粧料容器の第２実施例について説明する。
図５，６に示すように、本実施例の化粧料容器は、容器本体１ａとキャップ２ａ、中皿３ａと化粧皿４ａ、および回転体５ａとから構成されている。
【００２１】
容器本体１ａは、内周壁３０と、該内周壁３０にフランジ３１を介して連設された外周壁３２とからなり、内周壁３０のフランジ３１より上部分は拡径部３３となっており、ねじ３４が螺設されている。
内周壁３０の下端外周には、周方向に複数の縦溝３５が刻設され、案内体３６が嵌合されている。
【００２２】
案内体３６は、図６に示すように、内周面に縦溝３５に係合する凸条３７を突設した外筒３８と底板３９、該底板３９に連接され、上端に１条のねじ４０を螺設した内筒４１とから構成されている。
【００２３】
外周壁３２の下端は縮径され、回転体５ａの支持筒４２となっており、外周には凹溝４３が穿設されている。
【００２４】
図５に示すように、キャップ２ａは、頂壁４４と側周壁４５とからなり、側周壁４５の下方部内周には、容器本体１ａのねじ３４に螺合するねじ４６が螺設されている。
【００２５】
中皿３ａは、中央部に吐出口４７を穿設した受け皿４８と、該受け皿４８外周の取付部４９とから構成されている。
【００２６】
図６（ｂ）に示すように、化粧皿４ａは、中皿３ａの受け皿４８と同形状の皿体５０と、容器本体１ａの内周壁３０の内面に摺動可能として係合するスカート部５１と、皿体５０の下方に垂設され、外周に案内体３６のねじ４０に螺合するねじ５２を螺設し、複数のスリット５３を刻設したねじ筒５４とから構成されている。
【００２７】
回転体５ａは、容器本体１ａの支持筒４２に嵌合され、内周に支持筒４２の凹溝４３に係合する凸条５５を突設した外筒５６と底板５７，および底板５７に立設され、ねじ筒５４のスリット５３に係合する係止杆５８とから構成されている。
また、容器本体１ａの外周壁３２と回転体５ａの外面に目盛等を付与することによって、第１実施例と同様に回転量を目視することができる。
【００２８】
化粧料容器の使用時に、容器本体１ａの外周壁３２を保持し、回転体５ａを廻動すると、回転体５ａの係止杆５８がねじ筒５４のスリット５３に係合しているので、ねじ筒５４が廻動され、ねじ筒５４は案内体３６のねじ４０に案内され上昇する。
【００２９】
化粧料の塗布にあたっては、前記第１実施例と同様の作用効果を得ることができる。
【００３０】
前記実施例では、ねじ筒５４を化粧皿４ａの皿体５０から垂設するようにしたが、図７に示すように、ねじ筒５４ａを皿体５０とは別体として、ねじ筒５４ａの内周面に縦溝６０を刻設し、該縦溝６０に係止杆５８ａを係合させるようにしてもよい。
そうすることによって、皿体５０は廻動しないので、よりスムースに上昇させることができる。
【００３１】
また、図８に示すように、スカート部５１ａの下端に凸起６５を突設し、容器本体の内周壁３０ａに縦溝６６を刻設し、凸起６５を縦溝６６に係合するようにして、化粧皿４ａのスカート部５１ａを内周壁３０ａに摺動自在に嵌挿するようにしてもよい。
化粧皿４ａは廻動することはないので、第１実施例と同様に、回転体５ａに化粧皿４ａのねじ筒６７に係合するねじを螺設した内筒６８を立設して、案内体をなくすこともできる。
【産業上の利用可能性】
【００３２】
化粧料容器の外面に回転体を装着したことにより、廻動が容易にでき、手指等の汚れも防止できる。
シンプルな構造となるのでコスト低減を図ることができ、しかも化粧料の吐出口より適量吐出可能であるので、化粧料容器の商品価値が高まり、さらにまた粉末化粧料だけでなくクリーム状化粧料等にも使用できるので、用途拡大に適用できる。
【００３３】
また、化粧料容器ばかりではなく、粉末状の食品、薬品等の収納容器にも利用できる。
【図面の簡単な説明】
【００３４】
【図１】本発明化粧料容器の半縦断正面図である。
【図２】キャップを除いた化粧料容器の平面図である。
【図３】キャップを除いた化粧料容器の半縦断側面図である。
【図４】回転体を取り外した化粧料容器の底面図である。
【図５】第２実施例の化粧料容器の断面正面図である。
【図６】要部の拡大説明図で、（ａ）は化粧皿の上昇前、（ｂ）は化粧皿の上昇時を示す図である。
【図７】変形実施例の説明図である。
【図８】他の実施例の説明図である。
【符号の説明】
【００３５】
１、１ａ    容器本体
２、２ａ    キャップ
３、３ａ    中皿
４、４ａ    化粧皿
５、５ａ    回転体
６、３０、３０ａ  内周壁
７、３２    外周壁
８          係合部
９、４２    支持筒
１０、４３  凹溝
１１、４７  吐出口
１２        パフ
１３        凹部
１４、４８  受け皿
１５、４９  取付部
１６、５０  皿体
１７、５１、５１ａ  スカート部
１８、５２  ねじ
１９、５４、５４ａ、６７  ねじ筒
２０、５６  外筒
２１、５７  底板
２２        内筒
２３、５５  凸条
２４        ねじ
３１        フランジ
３３        拡径部
３４、４０  ねじ
３５        縦溝
３６        案内体
３７        凸条  
３８        外筒  
３９        底板  
４１、６８  内筒  
４４        頂壁  
４５        側周壁
４６        ねじ  
５３        スリット
５８、５８ａ  係止杆
６０、６６  縦溝
６５        凸起
【図１】
2005103108.tif 000003
【図２】
2005103108.tif 000004
【図３】
2005103108.tif 000005
【図４】
2005103108.tif 000006
【図５】
2005103108.tif 000007
【図６】
2005103108.tif 000008
【図７】
2005103108.tif 000009
【図８】
2005103108.tif 000010